【事件の表示】
　平成４年特許願第１４８１８９号「パチンコ機」拒絶査定不服審判事件〔平成５年１１月２２日出願公開、特開平５−３０９１６０〕について、次のとおり審決する。
【結　論】
　本件審判の請求は、成り立たない。
【理　由】
１．手続の経緯・本願発明
　本願は、平成４年５月１３日の出願であって、平成１２年１１月９日付けで拒絶査定がなされ（同年１１月２１日発送）、これに対し、同年１２月１５日付けで拒絶査定に対する審判請求がなされ、平成１５年１１月２５日付けで当審において拒絶の理由の通知がなされた（同年１２月２日発送）ものである。そして、その請求項１に係る発明（以下、「本願発明」という）は、平成１１年５月１０日付けの手続補正書、平成１２年１０月４日付けの手続補正書、平成１２年１２月１５日付けの手続補正書及び平成１６年１月２９日付けの手続き補正書により補正された明細書又は図面の記載からみて、特許請求の範囲の請求項１に記載された次のとおりのものである。
　
「機構板３の上部片隅に金属製のシールドボックス４０を固設し、該シールドボックスの前面開口に蓋体４１を開閉自在に設け、該シールドボックスにアース線４４を接続するとともに、該シールドボックスの内底部に電気的パチンコ球払出装置９の動作を制御する払出制御回路基板３４を収容し、該電気的パチンコ球払出装置９から出ているリード線３８を該シールドボックスの下側板部に形成された端子接続開口４３に通して該払出制御回路基板に接続し、配線基板１３の裏側左右両側に一対のコネクタ３５，３６の一方を設け他方を前記払出制御回路基板３４の表側左右両側に設け、該配線基板１３に電源コネクタ１４、ヒューズ１５、出力端子１６等を備えパチンコ機の各電気的作動機器に駆動用電気を供給する分電盤１１を前記払出制御回路基板上に互いのコネクタ３５，３６を嵌めることにより重り合うように接続することで前記シールドボックス内に該分電盤１１を収容し、該シールドボックスの前面開口に該電源コネクタ１４、ヒューズ１５、出力端子１６等を臨ませてなることを特徴とするパチンコ機。」
　
２．引用刊行物等の記載事項
［引用刊行物等一覧］
引用刊行物１：実願平１−７５９６６号（実開平３−１５５９３号）
　　　　　　　　のマイクロフィルム
引用刊行物２：特開平３−２８６７９０号公報
引用刊行物３：実願昭５６−１４２６７２号（実開昭５８−４８２７６号）
　　　　　　　　のマイクロフィルム
引用刊行物４：実願昭６２−７９９９０号（実開昭６３−１８８０７７号）
　　　　　　　　のマイクロフィルム
引用刊行物５：特開平２−１４２５８０号公報
　
２．１　引用刊行物１
　当審における拒絶の理由に引用した引用刊行物１には、図面とともに、
（１ａ）「近年のパチンコ機においては、その遊技内容が複雑化するにつれて、あるいは各種の不正遊技に対応して、いろいろな情報を管理コンピュータとパチンコ機との間で交換する必要が生じたり、あるいは、遊技盤を除くパチンコ機本体に恒久的に使用される電気的機器を制御するための制御回路等を設ける必要が生じてきたが、これに対応するために、それぞれの情報を入出力する端子や制御回路をパチンコ機に分散して設けていた。ところが、分散して設けた場合には、遊技盤を交換した際に、それぞれ必要な配線を接続する作業に手間取るため、上記した端子や制御回路を一ケ所に集めて設ける傾向にある。そして、一ケ所に集める場所として機構板の上部一側に設けられるターミナル基板ボックスが使用される場合が多いが、このようにターミナル基板ボックスに端子、あるいは制御回路を集約化させることは、必然的にターミナル基板ボックスの大型化を促進することになる。」（第２頁第１４行〜第３頁第１２行）
（１ｂ）「第５図を参照してパチンコ機の裏面構造について説明する。図において、前記遊技盤１０の裏面には、機構板２１が遊技盤１０の裏面全体を覆うように開閉自在に取り付けられている。」（第８頁第１０行〜第１３行）
（１ｃ）「機構板２１の後面側には、賞球を排出するための各種の機構が設けられている。これらの機構について簡単に説明すると、機構板２１の最上部には、賞球を貯留する賞球タンク２３が設けられ、該賞球タンク２３の下方に、賞球を整列させる賞球整列樋２４が傾斜して設けられている。　（中略）　賞球整列樋２４に接続してカーブ樋２８が設けられ、　（中略）　カーブ樋２８の流下下端には、賞球排出装置２９が接続される。」（第９頁第１行〜第１０頁第１５行）、
（１ｄ）「このターミナル基板ボックス５０は、　（中略）　ターミナル基板５１が収納されている。」（第１４頁第１行〜第６行）
（１ｅ）「ターミナル基板５１の具体的な回路構成は、第６図に示すブロック図の通りである。簡単に説明すると、ターミナル基板５１には、前記金枠防犯スイッチ６及び金枠防犯ランプ２０の動作を制御する防犯制御回路、前記獲得スイッチ３１ａ，３１ｂの作動に関連して獲得ランプ１７ａ，１７ｂの動作を制御するランプ制御回路、　（中略）　及び前記ランプ制御回路や獲得ランプ１７ａ，１７ｂ等に電源を供給する電源回路を含む制御回路５２が設けられている。また、ターミナル基板５１には、前記制御基板ケース４２に収納される制御基板に電源を供給する接続端子５３ａ、外部電源に接続するための接続端子５３ｂ、　（中略）　がそれぞれ設けられている。更に、ターミナル基板５１には、前記した電気的機器に過電流が流れたときに、それらの電気的機器が破壊されないようにヒューズ５４ａ，５４ｂも設けられている。」（第１４頁第６行〜第１５頁第１９行）
と記載されており、また、第１図の記載からみて
（１ｆ）ターミナル基板ボックス５０は、機構板２１の上部片隅に固設されるとともに、
（１ｇ）当該ターミナル基板ボックス５０の前面の一部分には、接続端子５３ｂ、５３ｄ、５３ｅ、５３ｆ、５３ｇ、５３ｈ及びヒューズ５４ａ、５４ｂに面した開口が設けられており、
さらに、第５図の記載からみて
（１ｈ）賞球排出装置２９はターミナル基板ボックス５０よりも下側の位置に設けられている。
　したがって、以上の事項を総合すると、引用刊行物１には、
「機構板の上部片隅にターミナル基板ボックスを固設し、該ターミナル基板ボックスの前面の一部分に開口を設け、該ターミナル基板ボックス内にターミナル基板を収納し、該ターミナル基板は、防犯制御回路、ランプ制御回路、前記ランプ制御回路や獲得ランプ等に電源を供給する電源回路を含む制御回路、制御基板に電源を供給する接続端子、外部電源に接続するための接続端子、ヒューズ等を備え、該ターミナル基板ボックスの前面の一部分に設けられた前記開口に該外部電源に接続するための接続端子、ヒューズ等を臨ませてなり、また、機構板の該ターミナル基板ボックスよりも下側の位置に賞球排出装置を設けたパチンコ機。」
という発明（以下、「引用刊行物１記載の発明」という）が記載されている。
　
２．２　引用刊行物２
　当審における拒絶の理由に引用した引用刊行物２には、図面とともに、
（２ａ）「払出すべき景品玉数を計数しながら作動する景品玉払出装置を備えると共に、遊技盤が弾球遊技機本体に対して交換可能に構成された弾球遊技機に関するものである。」（第１頁左下欄第２０行〜右下欄第３行）、
（２ｂ）「弾球遊技機の一例としてのパチンコ遊技機」（第２頁左下欄第５行〜第６行）、
（２ｃ）「機構板２６には、　（中略）　主として前記景品玉払出装置４０の動作を制御する景品玉払出制御回路基板７０等が設けられている。」（第４頁右下欄第４行〜第１１行）
（２ｄ）「景品玉払出制御回路基板７０は、機構板２６に形成された収納凹部に収納固定され、その表面を開閉自在なカバー蓋７３で被覆された状態で設けられる。」（第６頁左上欄第７行〜第１０行）
と記載されている。
　したがって、以上の事項を総合すると、引用刊行物２には、
「パチンコ遊技機において、景品玉払出装置と、当該景品玉払出装置の動作を制御する景品玉払出制御回路基板とを設けること。」
という発明（以下、「引用刊行物２記載の発明Ａ」という）、及び、
「パチンコ遊技機において、基板の表面を被覆する蓋を開閉自在とすること。」
という発明（以下、「引用刊行物２記載の発明Ｂ」という）が記載されている。
　
２．３　引用刊行物３
　当審における拒絶の理由に引用した引用刊行物３には、図面とともに、
（３ａ）「パチンコ機の電気的作動機器　（中略）　を電気信号により制御する電気的制御装置の収納ケースに関するものである。」（第２頁第３行〜第８行）、
（３ｂ）「電気的制御装置２８は、第３図で示すように、ＩＣ，ＬＳＩ等の電子部品２９…を有機的に組合せて各基板30a，30b，30c上に設けると共に、所定の電子部品２９に導通する接続端子３１…を基板30aの一側に集中的に設けたもの」（第７頁第４行〜第８行）
（３ｃ）「この電気的制御装置２８を金属製収納ケース３２内に収納する。」（第７頁第１３行〜第１４行）、
（３ｄ）「電気的制御装置を金属製収納ケースの内部に収納するので、収納ケース自体に静電気が帯電しないことは勿論のこと、該収納ケースが電気的ノイズの侵入を防止する。」（第１１頁第２０行〜第１２行第４行）
と記載されており、さらに、第３図、第５図、及び第６図には、
（３ｅ）前記各基板のうち２つの基板（30aと30b、又は、30aと30c）が重り合うように、その一方の基板（30a）を収納ケースの内底部に収納し他方の基板（30b又は30c）を収納ケースの前面側に収納すること
が記載されている。
　したがって、以上の事項を総合すると、引用刊行物３には、
「パチンコ機において、２つの基板が重り合うように、その一方の基板を収納ケースの内底部に収納し、かつ、他方の基板を収納ケースの前面側に収納すること。」
という発明（以下、「引用刊行物３記載の発明Ａ」という）、及び、
「パチンコ機において、静電気又は電気的ノイズの影響を防止するために、電気的制御装置を金属製収納ケースの内部に収納すること。」
という発明（以下、「引用刊行物３記載の発明Ｂ」という）が記載されている。
　
２．４　引用刊行物４
　当審における拒絶の理由に引用した引用刊行物４には、図面とともに、
（４ａ）「縦横に複数のＬＥＤ素子を配列した表示基板を第１基板の前面に添設すると共に、上記第１基板にはチップ素子を配設して電気回路を形成し、第２基板にはＭＣＵを有する処理部を形成すると共に、該第２基板にはパチンコ機の制御装置に連絡可能な外部接続端子を設け、上記第１基板と第２基板とを電気的に接続したものである。」（第３頁第５行〜第１２行）、
（４ｂ）「第２基板３の前後面にはチップ素子７及びＭＣＵ５や水晶11などを配設して電気回路を形成し、周縁には雌型コネクタ12を配置し、この雌型コネクタ12と前記第１基板２の雄型コンネクタ８とを接続する。」（第４頁第１８行〜第５頁第２行。なお、上記「雄型コンネクタ８」という記載は「雄型コネクタ８」の誤記と認められる）
と記載されており、それらの記載と第１図、第２図、及び第７図の記載（特に、前記雄型コネクタ及び雌型コネクタという一対のコネクタの各基板上の配置位置）からみて、引用刊行物４には、
「パチンコ機において、一方の基板の裏側両側に一対のコネクタの一方を設け他方を他方の基板の表側両側に設け、互いのコネクタを嵌めることにより２枚の基板を重り合うように接続すること。」
という発明（以下、「引用刊行物４記載の発明」という）が記載されている。
　
２．５　引用刊行物５
　当審における拒絶の理由に引用した引用刊行物５には、図面とともに、
（５ａ）「遊技盤の裏面側に各電気機器を制御する制御装置を配置したパチンコ機に関する。」（第１頁左下欄第１６行〜第１７行）、
（５ｂ）「制御装置８７は、第１５図〜第１７図に示すように　（中略）　上蓋８９と下蓋９０とからなるケース９１に収納、支持される」（第４頁右上欄第１６行〜左下欄第２行）、
（５ｃ）「ケース９１の上蓋８９は、金属製からなる筺枠状のもので」（第４頁左下欄第１２行〜第１３行）、
（５ｄ）「ケース９１の下蓋９０は、金属製の板状のもので」（第４頁右下欄第２行〜第３行）、
（５ｅ）「下蓋９０に設けたアース線１１２を遊技盤３裏面の金属製からなるフレーム部材７６に接続したので、各ノイズや静電気はケース９１からフレーム部材７６に確実にアースされ、制御装置８７の各電気部品に作用することはない。」（第５頁右下欄第１０行〜第１４行）
と記載されている。
　したがって、以上の事項を総合すると、引用刊行物５には、
「パチンコ機において、ノイズ又は静電気が制御装置に作用しないようにするために、当該制御装置を金属製のケースに収納するとともに、当該ケースにアース線を接続すること。」
という発明（以下、「引用刊行物５記載の発明」という）が記載されている。
　
３．対比・判断
　本願発明と引用刊行物１記載の発明を対比する。
（イ）本願発明における「シールドボックス」内には「分電盤」が収容されているが、当該「分電盤」は「配線基板１３に電源コネクタ１４、ヒューズ１５、出力端子１６等を備えパチンコ機の各電気的作動機器に駆動用電気を供給する」手段であるから、本願発明における「シールドボックス」内には、「配線基板に電源コネクタ、ヒューズ、出力端子等を備えパチンコ機の各電気的作動機器に駆動用電気を供給する手段」が収容されていると認められる。
　一方、引用刊行物１記載の発明における「ターミナル基板ボックス」内に収納すなわち収容された「ターミナル基板」は、配線基板であるとともに「ランプ制御回路や獲得ランプ等に電源を供給する電源回路」、「制御基板に電源を供給する接続端子」（本願発明の前記「出力端子」に相当）、「外部電源に接続するための接続端子」（本願発明の前記「電源コネクタ」に相当）、及び「ヒューズ」といった構成要素を備えており、第６図に記載のその回路構成からみて、それらの構成要素を備えたターミナル基板は、パチンコ機の各電気的作動機器に駆動用電気を供給する機能を有するものであるから、引用刊行物１記載の発明における「ターミナル基板ボックス」内にも、本願発明における「シールドボックス」と同様に「配線基板に電源コネクタ、ヒューズ、出力端子等を備えパチンコ機の各電気的作動機器に駆動用電気を供給する手段」が収容されていると認められる。
（ロ）本願発明における「シールドボックス」内には「払出制御回路基板」も収容されているが、当該「払出制御回路基板」はパチンコ機の電気的作動機器である「電気的パチンコ球払出装置９」の動作を制御する手段であるから、本願発明における「シールドボックス」内には、「パチンコ機の電気的作動機器の動作を制御する手段」も収容されていると認められる。
　一方、引用刊行物１記載の発明における「ターミナル基板ボックス」内に収納すなわち収容された「ターミナル基板」は、「防犯制御回路」及び「ランプ制御回路」といった構成要素も備えており、それらの構成要素を備えたターミナル基板は、パチンコ機の電気的作動機器の動作を制御する機能を有するものであるから、引用刊行物１記載の発明における「ターミナル基板ボックス」内にも、本願発明における「シールドボックス」と同様に「パチンコ機の電気的作動機器の動作を制御する手段」が収容されていると認められる。
（ハ）したがって、本願発明における「シールドボックス」と引用刊行物１記載の発明における「ターミナル基板ボックス」は、ともに「配線基板に電源コネクタ、ヒューズ、出力端子等を備えパチンコ機の各電気的作動機器に駆動用電気を供給する手段」及び「パチンコ機の電気的作動機器の動作を制御する手段」を収容する「ボックス」であると認められる。
　そうすると、両者は、
　
「機構板の上部片隅にボックスを固設し、該ボックスの前面に開口を設け、配線基板に電源コネクタ、ヒューズ、出力端子等を備えパチンコ機の各電気的作動機器に駆動用電気を供給する手段（以下、「駆動用電気供給手段」という）及びパチンコ機の電気的作動機器の動作を制御する手段（以下、「動作制御手段」という）を該ボックス内に収容し、該開口に前記電源コネクタ、ヒューズ等を臨ませてなることを特徴とするパチンコ機。」
　
である点で一致し、次の５つの点において相違しているものと認められる。
　
［相違点１］
　本願発明においては、前記ボックスに収容された前記動作制御手段が、電気的パチンコ球払出装置の動作を制御しているのに対して、引用刊行物１記載の発明においては、賞球排出装置、すなわち、パチンコ球払出装置を有してはいるものの、前記ボックスに収容された前記動作制御手段が、当該パチンコ球払出装置の動作を制御してはいない点。
　
［相違点２］
　前記駆動用電気供給手段と前記動作制御手段とを前記ボックスに収容する際に、本願発明においては、前記駆動用電気供給手段と前記動作制御手段とにそれぞれ別の基板を用いることによって「分電盤」及び「払出制御回路基板」という別体のものとして構成するとともに、前記ボックスの内底部に前記動作制御手段を収容し、前記駆動用電気供給手段を構成する基板の裏側左右両側に一対のコネクタの一方を設け他方を前記動作制御手段を構成する基板の表側左右両側に設け、前記駆動用電気供給手段を前記動作制御手段上に互いのコネクタを嵌めることにより重り合うように接続することで前記ボックス内に該駆動用電気供給手段を収容しているのに対して、引用刊行物１記載の発明においては、前記駆動用電気供給手段と前記動作制御手段とを「ターミナル基板」という１枚の基板を用いて一体に構成して前記ボックス内に収容している点。
　
［相違点３］
　本願発明においては、前記電気的パチンコ球払出装置から出ているリード線を前記ボックスの下側板部に形成された端子接続開口に通して前記払出制御回路基板に接続しているのに対して、引用刊行物１記載の発明においては、そのような構成を有していない点。
　
［相違点４］
　前記ボックスとして、本願発明においては、金属製のシールドボックスを用いており、さらに当該ボックスにアース線を接続しているのに対して、引用刊行物１記載の発明においては、そのような金属製のシールドボックスは用いておらずアース線も接続してはいない点。
　
［相違点５］
　本願発明においては、前記ボックスの前面に設けられた開口である前面開口に蓋体を開閉自在に設けることによって、前記ボックスの前面を開閉自在となるように構成するとともに、前記前面開口に前記電源コネクタ、ヒューズ、出力端子等を臨ませているのに対して、引用刊行物１記載の発明においては、前記ボックスの前面の一部分、すなわち、前記電源コネクタ、ヒューズ等が臨む部分に開口を設けてはいるものの、前記ボックスの前面を開閉自在とはしていない点。
　
　前記相違点１乃至５について検討する。
　
（相違点１について）
　パチンコ機において、パチンコ球払出装置を、払出制御回路基板によってその動作が制御可能なもの、すなわち、電気的パチンコ球払出装置とすることは、引用刊行物２記載の発明Ａ（「景品玉払出装置」は前記「電気的パチンコ球払出装置」に、「景品玉払出制御回路基板」は前記「払出制御回路基板」にそれぞれ相当する）がその一例であるように周知技術にすぎない。
　したがって、引用刊行物１記載の発明において、賞球排出装置、すなわちパチンコ球払出装置を、払出制御回路基板によってその動作が制御可能な電気的パチンコ球払出装置とすることは、当業者が適宜採用し得る設計事項にすぎない。
　また、パチンコ球払出装置を電気的パチンコ球払出装置とする際には、前記払出制御回路基板を設ける場所について設計しなければならないが、引用刊行物１には、遊技盤を除くパチンコ機本体に恒久的に使用される電気的機器を制御するための制御回路をターミナル基板ボックスに設けることが示唆されている（前記（１ａ）参照）とともに、そのような制御回路を備える具体的手段として前記動作制御手段がターミナル基板ボックスに設けられている。そして、引用刊行物１記載の発明における賞球排出装置、すなわちパチンコ球払出装置は、機構板に設けられていることからみて遊技盤を除くパチンコ機本体に恒久的に使用されるものであると認められるから、当該パチンコ球払出装置を電気的パチンコ球払出装置とする際に、前記動作制御手段が当該電気的パチンコ球払出装置の動作を制御するようにすることは、当業者にとって格別困難なこととは認められない。
　したがって、本願発明の前記相違点１に係る構成は、当業者が容易に想到し得る程度のことである。
　
（相違点２について）
　引用刊行物１には、前記（１ａ）で摘記したように「ターミナル基板ボックスに端子、あるいは制御回路を集約化させることは、必然的にターミナル基板ボックスの大型化を促進することになる」という技術的課題が挙げられているから、前記駆動用電気供給手段及び前記動作制御手段を前記ターミナル基板ボックスに収容する際に、当該ターミナル基板ボックスが大型化しないような収容手法を検討することは当業者が普通に行い得ることである。
　そして、具体的な収容手法として、２枚の基板が重り合うように、その一方の基板をボックスの内底部に収容し、かつ、他方の基板をボックスの前面側に収容することは、引用刊行物３記載の発明Ａがそうであるようにパチンコ機の技術分野においても既に採用されている手法にすぎない。ここで、前記引用刊行物３記載の発明Ａにおいては、前記２枚の基板の接続手法についての具体的構成は特定されていないが、引用刊行物４記載の発明のように一方の基板の裏側両側に一対のコネクタの一方を設け他方を他方の基板の表側両側に設け、前記一方の基板を前記他方の基板上に互いのコネクタを嵌めることにより重り合うように接続する構成は、２枚の基板を接続するための手法として当業者が適宜採用し得る手法の一つにすぎず、かつ、前記「裏側両側」及び「表側両側」を、裏側及び表側の「上下両側」とするか「左右両側」とするかは、他の電気部品及び配線との配置関係を考慮して当業者が適宜選択し得る設計事項にすぎない。
　また、２枚の基板を用いる際に、各基板にどのような電気部品を搭載するかも、当業者が適宜選択し得る設計事項にすぎず、機能の異なる手段をそれぞれ構成する電気部品を機能毎に別々の基板上に搭載することは設計上普通に行われていることであるから、機能の異なる前記駆動用電気供給手段と前記動作制御手段とをそれぞれ構成する電気部品を別々の基板上に搭載することによって、分電盤と制御回路基板として構成すること、特に、前記相違点１についての検討で述べたように前記動作制御手段が電気的パチンコ球払出装置の動作を制御するようにする場合に分電盤と払出制御回路基板として構成することは、当業者にとって格別困難なこととは認められない。
　したがって、引用刊行物１記載の発明において、機能の異なる前記駆動用電気供給手段と前記動作制御手段とを２枚の基板を用いることによって「分電盤」及び「払出制御回路基板」という別体のものとして構成し、その一方の基板をボックスの内底部に収容し、かつ、他方の基板をボックスの前面側に収容するするとともに、その一方の基板の裏側左右両側に一対のコネクタの一方を設け他方を他方の基板の表側左右両側に設け、前記一方の基板を前記他方の基板上に互いのコネクタを嵌めることにより重り合うように接続することは、当業者が適宜なし得ることと認められる。
　そして、２枚の基板を重り合うように接続してボックス内に収容する際に、どちらの基板を前記ボックスの前面側にするかも当業者が適宜選択し得る設計事項にすぎないが、引用刊行物１においては第１図の記載からみてボックスの前面に設けられた開口を通してヒューズの交換が可能となるように収容されているから、ヒューズを備える前記駆動用電気供給手段をボックスの前面の開口側に収容し、前記動作制御手段をその反対側すなわちボックスの内底部に収容するように設計することは、当業者にとって格別困難なこととは認められない。
　したがって、本願発明の前記相違点２に係る構成は、当業者が容易に想到し得る程度のことである。
　
（相違点３について）
　引用刊行物１記載の発明において、前記相違点１についての検討で述べたように前記動作制御手段が電気的パチンコ球払出装置の動作を制御するようにするとともに、前記相違点２についての検討で述べたように当該動作制御手段を前記駆動用電気供給手段とは別の基板によって払出制御回路基板として構成して前記ボックス内に収容するようにする場合には、当該払出制御回路基板と前記電気的パチンコ球払出装置とをリード線といった配線によって電気的に接続する必要があることは当業者にとって明らかであり、また、ボックスの内部と外部とを電気的に接続する配線を通すための開口を当該ボックスの側面に形成することは周知技術にすぎない（例えば、実願昭６２−１４０１４号（実開昭６３−１２２４６９号）のマイクロフィルム（特に、第１図）、実願昭５６−１８０６６１号（実開昭５８−８４１８３号）のマイクロフィルム（特に、第３図）、引用刊行物３（特に、第６図）を参照のこと）から、前記払出制御回路基板と前記電気的パチンコ球払出装置とを接続する前記リード線を通すための開口である端子接続開口を前記ボックスの側面に形成することは、当業者が適宜なし得る設計事項にすぎない。そして、前記ボックスのどの側面に前記開口を形成するかを設計する際には、前記リード線の引き廻しが簡単になるようにするのが普通であるから、前記電気的パチンコ球払出装置が当該ボックスよりも下側の位置に設けられていることを勘案すると、前記リード線を通すための前記開口を形成する側面を前記ボックスの下側の側面、すなわち、下側板部とすることは、当業者にとって格別困難なこととは認められない。
　したがって、本願発明の前記相違点３に係る構成は、当業者が容易に想到し得る程度のことである。
　
（相違点４について）
　パチンコ機において、静電気又はノイズの影響を防止するために、制御装置を金属製のシールドボックスに収納することは、例えば、引用刊行物３記載の発明Ｂ及び引用刊行物５記載の発明のように広く行われていることにすぎないから、引用刊行物１記載の発明において、制御装置の一種である前記動作制御手段を収容する前記ボックスを金属製のシールドボックスとすることは、当業者が適宜なし得ることと認められる。さらに、引用刊行物５記載の発明のように、当該金属製のシールドボックスにアース線を接続することは、当業者が必要に応じて適宜採用し得る設計事項にすぎない。
　したがって、本願発明の前記相違点４に係る構成は、当業者が容易に想到し得る程度のことである。
　
（相違点５について）
　引用刊行物１記載の発明においては、前記ボックスに基板を収容した状態で当該基板上に設けられた電源コネクタ、ヒューズ等の電気部品の接続・点検・交換等を可能とするために、前記基板の表面を被覆するものである前記ボックスの前面のうち、その一部分、すなわち、前記電気部品が臨む部分に開口を設けていると認められるが、電気部品が臨む部分にのみ開口を設けることに代えて、前記基板の表面を被覆するものである前記ボックスの前記前面全体を、引用刊行物２記載の発明Ｂのような開閉可能な蓋体とし、当該蓋体を開いた際に現れる開口に前記基板上の電気部品、すなわち、電源コネクタ、ヒューズ、出力端子等が臨むようにすることで、当該電気部品の接続・点検・交換等を可能とすることは、当業者が適宜なし得ることと認められる。
　したがって、本願発明の前記相違点５に係る構成は、当業者が容易に想到し得る程度のことである。
　
　そして、本願発明の効果も、各引用刊行物記載の発明及び周知技術から当業者が予測できる範囲のものと認められる。
　
４．むすび
　したがって、本願発明は、引用刊行物１乃至５に記載された発明及び周知技術に基いて当業者が容易に発明をすることができたものであるから、特許法第２９条第２項の規定により特許を受けることができない。
　よって、結論のとおり審決する。